(57)【要約】【課題】パネル取付状態において、パッキンの露出部分を不用意に引っ張ってもパッキンが外れにくいパネル取付機器を提供すること。【解決手段】断面形状Ｌ字形に形成されたフランジが開口部外周に固着されたケースをフランジの立ち上がり辺がパネルに当接するようにパネルの取付穴に挿入し、所定の断面形状に成型されたパッキンをフランジに巻き付け、このパッキンをフランジとベゼルで挟み込み固定するように構成されたパネル取付機器において、  前記フランジのＬ字形部分に離散的に複数の穴を設け、前記パッキンをフランジとベゼルで挟み込み固定することによりパッキンの一部がフランジの穴に入るようにしたことを特徴とするもの。【選択図】                    図１
2007256071.tif 000002
【特許請求の範囲】
【請求項１】
断面形状Ｌ字形に折り曲げ形成されたフランジが開口部外周に固着されたケースをフランジの立ち上がり辺がパネルに当接するようにパネルの取付穴に挿入し、所定の断面形状に成型されたパッキンをフランジに巻き付け、このパッキンをフランジとベゼルで挟み込み固定するように構成されたパネル取付機器において、
前記フランジのＬ字形曲げ部分に離散的に複数の穴を設け、前記パッキンをフランジとベゼルで挟み込み固定することによりパッキンの一部がフランジの穴に入るようにしたことを特徴とするパネル取付機器。
【請求項２】
前記パッキンの断面形状の一部に前記フランジの穴に入る突起部を設けたことを特徴とする請求項１記載のパネル取付機器。
【請求項３】
前記パッキンを固定する前記ベゼル端面の前記フランジの穴と対向する位置に、前記パッキンを前記フランジの穴に押し込むための凸部を設けたことを特徴とする請求項１記載のパネル取付機器。
【請求項４】
前記パッキンのベゼルとフランジで圧縮される断面形状の一部に、中空部または切り込み部のいずれかを設けたことを特徴とする請求項１記載のパネル取付機器。
【発明の詳細な説明】
【技術分野】
【０００１】
本発明は、パネル取付機器に関し、詳しくは、機器をパネルに取り付けるときのパッキンによる防塵・防水構造の改良に関するものである。
【背景技術】
【０００２】
工業用計器の一種に、計器のケース外周が嵌め合うように切り抜かれた計装用パネルの取付穴に挿入取付固定されるパネル取付機器がある(特許文献１参照)。
【０００３】
【特許文献１】実公平０７−０４３６１２
【０００４】
特許文献１には、計器などの筐体開口部にゴム製などのパッキンを介在させて計器本体の前面蓋部材を水密に装着する計器筐体の防水防塵構造が開示されている。
【０００５】
図５は従来のパネル取付機器の取付例を示す構成図、図６はその要部拡大図、図７はケースの要部構成図であり、ペーパーレスレコーダの例を示している。パネル１０には計器のケース２０の外周が嵌め合うように取付穴１１が切り抜かれている。ケース２０の開口部外周には、断面形状がＬ字形になるように折り曲げられたフランジ２１が固着されている。またケース２０の開口部には、離散的にベゼル４０の取付片２２が設けられている。
【０００６】
このような構成において、計器をパネル１０に取り付けるのにあたっては、パネル１０の前面から、取付穴１１にケース２０のフランジ２１の立ち上がり辺がパネル１０に当接する位置まで挿入する。この状態で図示しない取付金具を用い、ケース２０をパネル１０に取付固定する。
【０００７】
続いて、フランジ２１のＬ字形折り曲げ部に嵌め合うように所定の断面形状に成型された例えばゴム製のひも状のパッキン３０を巻き付ける。そして、取付片２２などを介してケース２０の前面にベゼル４０を取り付け、パッキン３０をフランジ２１とベゼル４０により挟み込み固定する。
【０００８】
これにより、パネル１０とケース２０との間の隙間はパッキン３０により塞がれることになり、防塵・防水構造が得られる。
【発明の開示】
【発明が解決しようとする課題】
【０００９】
ところで、このような従来の構成によれば、パッキン３０のパネル１０に密着している露出部分３１を垂直方向に引っ張ると、ベゼル４０の押し付け力があるにも拘わらず、パッキン３０がフランジ２１とベゼル４０の間から外れてしまうことがある。
【００１０】
本発明は、このような従来の問題点に着目したものであり、その目的は、パネル取付状態において、パッキンの露出部分を不用意に引っ張ってもパッキンが外れにくいパネル取付機器を提供することにある。
【課題を解決するための手段】
【００１１】
このような課題を達成する請求項１の発明は、
断面形状Ｌ字形に折り曲げ形成されたフランジが開口部外周に固着されたケースをフランジの立ち上がり辺がパネルに当接するようにパネルの取付穴に挿入し、所定の断面形状に成型されたパッキンをフランジに巻き付け、このパッキンをフランジとベゼルで挟み込み固定するように構成されたパネル取付機器において、
前記フランジのＬ字形曲げ部分に離散的に複数の穴を設け、前記パッキンをフランジとベゼルで挟み込み固定することによりパッキンの一部がフランジの穴に入るようにしたことを特徴とする。
【００１２】
請求項２の発明は、請求項１記載のパネル取付機器において、
前記パッキンの断面形状の一部に前記フランジの穴に入る突起部を設けたことを特徴とする。
【００１３】
請求項３の発明は、請求項１記載のパネル取付機器において、
前記パッキンを固定する前記ベゼル端面の前記フランジの穴と対向する位置に、前記パッキンを前記フランジの穴に押し込むための凸部を設けたことを特徴とする。
【００１４】
請求項４の発明は、請求項１記載のパネル取付機器において、
前記パッキンのベゼルとフランジで圧縮される断面形状の一部に、中空部または切り込み部のいずれかを設けたことを特徴とする。
【発明の効果】
【００１５】
これらにより、パネル取付状態において、パッキンの一部がフランジの穴に入り込むことから、パッキンの露出部分を引っ張ってもパッキンは簡単には外れなくなり、堅固な防水防塵構造が得られる。
【発明を実施するための最良の形態】
【００１６】
以下、本発明について、図面を用いて説明する。図１は本発明で用いるケースの要部構成図であり、図７と共通する部分には同一の符号を付けている。図１において、フランジ２１のＬ字形の曲げ部分には、離散的に複数の穴２３が設けられている。ここで、ケース２０の大きさとベゼル４０の大きさの関係から、フランジ２１の立ち上がり辺をあまり高くできず、この立ち上がり辺にパッキン３０がもぐりこむだけの細い穴を加工精度良く開けるのは困難である。そこで、本発明では、生産性を高めるために、フランジ２１のＬ字形折り曲げ部にかかるように穴２３をあけている。
【００１７】
図２は本発明に基づくパネル取付機器の取付例の要部拡大図であり、図６と共通する部分には同一の符号を付けている。図２に示すように、従来と同様な断面形状のパッキン３０をフランジ２１とベゼル４０で挟み込み固定すると、パッキン３０の角部の一部３２がフランジ２１の穴２３に入り込むことになる。
【００１８】
このような構成において、パッキン３０のパネル１０に密着している露出部分３１を垂直方向に引っ張った場合には、フランジ２１の穴２３に入り込んでいるパッキン３０の一部３２がパッキン３０の抜け止めとして機能することになり、従来のように簡単に外れることはなく、堅固な防水防塵構造が得られる。
【００１９】
図３は本発明に基づくパネル取付機器の他の取付例の要部拡大図であり、図２と共通する部分には同一の符号を付けている。図３の例では、フランジ２１の穴２３に入り込むパッキン３０の断面形状角部の一部に、比較的肉薄の突起部３３を設けている。
【００２０】
図３の構成によれば、パッキン３０の突起部３３は比較的肉薄部になっているので、フランジ２１の穴２３に応じて容易に変形することができ、図２の構成に比べると、パッキン３０の突起部３３はより確実にフランジ２１の穴２３に入り込むことができる。したがって、図２の構成よりもさらに強固な抜け止め効果が得られる。
【００２１】
なお、上記実施例では、パッキン３０を固定するベゼル端面を平坦面としているが、フランジ２１の穴２３と対向する位置に、パッキン３０をフランジ２１の穴２３に押し込むための凸部を設けるようにしてもよい。これにより、図３の構成よりもさらに強固な抜け止め効果が得られる。
【００２２】
また、上記実施例では、パネル取付機器として工業用計器の一種であるペーパーレスレコーダの例を示したが、これに限るものではなく、各種の機器にも適用可能である。
【００２３】
また、パッキンはひも状に限るものではなく、計器のケース開口部外周のフランジに嵌め合うように所定の形状に一体成形されたものであってもよい。
【００２４】
また、パッキン３０のベゼル４０とフランジ２１で圧縮される断面形状の一部に、図４(a)に示すような中空部３４や、図４(b)に示すような切り込み部３５を設けるようにしてもよい。具体的には、パッキン３０の断面形状のベゼル４０とフランジ２１による圧縮力の働く方向（力の作用する軸上）に中空部３４または切り込み部３５を設ける。
【００２５】
中空部３４または切り込み部３５を設けないパッキン３０では、フランジ２１の穴が開いていない部分でのパッキン３０の復元力（弾性力）が大きくなることから、べゼル４０が取り付けにくくなる。これに対し、図４のように中空部３４または切り込み部３５を設けることにより、パッキン３０のバネ定数が小さくなり、フランジ２１の穴２３の開いている部分と穴が開いていない部分で生じるパッキン３０の圧縮からの復元力の差は小さくなる。また、パッキン３０のベゼル４０とフランジ２１で圧縮される部分の弾性は他の部分に比べて低くなることから、パッキン３０が密着し易くなってフランジ２１の穴２３に入り込み易くなる。そして、パッキン３０はフランジ２１の穴の開いていない部分に対しては逃げるように変形することになり、パッキンの復帰力の差が小さくなることとあいまって、ベゼル４０の取り付けが容易になる。
【００２６】
また、パッキンとして、図３に示す突起部３３と図４(a)に示す中空部３４や図４(b)に示す切り込み部３５を併用してもよい。
【００２７】
以上説明したように、本発明によれば、堅固な防水防塵構造のパネル取付機器が実現できる。
【図面の簡単な説明】
【００２８】
【図１】本発明で用いるケースの要部構成図である。
【図２】本発明に基づくパネル取付機器の取付例の要部拡大図である。
【図３】本発明に基づくパネル取付機器の他の取付例の要部拡大図である。
【図４】本発明に用いる他のパッキンの拡大断面図である。
【図５】従来のパネル取付機器の取付例を示す構成図である。
【図６】図５の要部拡大図である。
【図７】図５のケースの要部構成図である。
【符号の説明】
【００２９】
１０  パネル
１１  取付穴
２０  ケース
２１  フランジ
２２  取付片
２３  穴
３０  パッキン
３１  露出部分
３２  抜け止め部
３３  突起部
３４  中空部
３５  切り込み部
４０  ベゼル
【図１】
2007256071.tif 000003
【図２】
2007256071.tif 000004
【図３】
2007256071.tif 000005
【図４】
2007256071.tif 000006
【図５】
2007256071.tif 000007
【図６】
2007256071.tif 000008
【図７】
2007256071.tif 000009